(57)【特許請求の範囲】
【請求項１】
東側居住部と西側居住部との間に、南側が開口面となった凹部として形成された中庭が設けられており、該中庭の北側部分の北側居住部が該中庭に面した１．５層分の高さの吹抜け部を備えると共に、該吹抜け部の上方にスキップ床が設けられており、且つ前記中庭から前記北側居住部を介して前記北側の外壁を通過する通風路が開閉可能に形成されており、
前記中庭による前記通風路の流入口部分に、供給された水を通風方向と対向する鉛直面に沿って下方に流下させるように誘導して、散水カーテンを形成する散水カーテン形成装置が設けられている自然環境を考慮した建物。
【請求項２】
前記スキップ床が前記中庭の少なくとも一部を覆うように張り出して設けられている請求項１に記載の自然環境を考慮した建物。
【請求項３】
前記スキップ床の上方が、屋根裏部屋となっている請求項１又は２に記載の自然環境を考慮した建物。
【請求項４】
屋根の北側部分に、屋根部通風開口が開閉可能に設けられており、前記中庭から前記北側居住部を介して前記屋根部通風開口を通過する通風路が開閉可能に形成される請求項１〜３のいずれか１項に記載の自然環境を考慮した建物。
【請求項５】
前記中庭による前記通風路の流入口部分に、植栽が施されている請求項１〜４のいずれか１項に記載の自然環境を考慮した建物。
【発明の詳細な説明】
【技術分野】
【０００１】
本発明は、風や太陽による自然環境を考慮した建物に関する。
【背景技術】
【０００２】
気温や湿度などの外部の気候要素は季節や時刻とともに大きく変動するものであり、外部の気候要素のままでは住宅の屋内環境は快適とはいえず、何等かの対策が必要である。電気による冷暖房設備のなかった時代の日本の伝統的な民家では、特に夏場における過し易さに配慮して、日射を遮る厚い屋根や、深い軒や庇を設けると共に、開口を大きく形成して容易に通風が得られるようにするといった工夫がなされていた。
【０００３】
一方、近年の住宅では、充実した冷暖房設備によって、夏は涼しく、冬は暖かい快適な屋内環境が得られるようになっており、さらに住宅の高断熱化や高気密化を図ることによって、エネルギー消費を削減する工夫もなされている。
【０００４】
また、近年の住宅では、高断熱化や高気密化を図った場合でも、冷暖房設備の稼動によるエネルギー消費は年々増加の傾向にあり、地球温暖化などの環境問題を引き起こす要因の一つにもなっている。このようなことから、高断熱化や高気密化が図られた住宅等の建物においても、風による自然の恵みを利用して、より一層の省エネルギー化に寄与できるようにする工夫がなされている（例えば、特許文献１、特許文献２参照）。
【特許文献１】特開２００７−１２００６３号公報
【特許文献２】特開２００７−１３２１５４号公報
【発明の開示】
【発明が解決しようとする課題】
【０００５】
特許文献１や特許文献２に記載の建物は、春や秋等の気候が良い季節に、建物の内部に導入した外気によって、いわゆるセントラル換気装置を用いることなく、建物の内部の喚気を効率良く行えるようにしたものであるが、エネルギー消費をさらに削減できるように、日本の伝統的な民家の如く、必要に応じて建物の内部に通風をより積極的に取り込み、例えば夏場の暑い時期に自然の通風による涼が効果的に得られるようにして、冷房装置を使用しなくても暑さをしのげるようにすることのできる新たな技術の開発が望まれている。
【０００６】
本発明は、建物の内部に通風を積極的を取り込んで、例えば夏場の暑い時期に、自然の通風による涼を効果的に得ることを可能にする自然環境を考慮した建物を提供することを目的とする。
【課題を解決するための手段】
【０００７】
本発明は、東側居住部と西側居住部との間に、南側が開口面となった凹部として形成された中庭が設けられており、該中庭の北側部分の北側居住部が該中庭に面した１．５層分の高さの吹抜け部を備えると共に、該吹抜け部の上方にスキップ床が設けられており、且つ前記中庭から前記北側居住部を介して前記北側の外壁を通過する通風路が開閉可能に形成されており、前記中庭による前記通風路の流入口部分に、供給された水を通風方向と対向する鉛直面に沿って下方に流下させるように誘導して、散水カーテンを形成する散水カーテン形成装置が設けられている自然環境を考慮した建物を提供することにより、上記目的を達成したものである。
【０００８】
ここで、上記記載における１．５層分の高さは、一般に２３０〜４００ｃｍ程度の高さを有する建物の１層分の高さに、これの略半分程度の高さを加えて、１層分の高さと２層分の高さの中間部分の高さを略称するものであり、１層分の高さの１．５倍の高さの他、１層分の高さの１．４０〜１．７５倍程度の高さを含むものである。また、スキップ床は、一般に２３０〜４００ｃｍ程度の高さを有する１層分の高さの中間部分の高さ位置に配置される床を略称するものであり、１層分の高さの１／２の高さの他、１層分の高さの４０〜７５％程度の高さ位置に配置される床を含むものである。
【０００９】
そして、本発明の自然環境を考慮した建物は、前記スキップ床が前記中庭の少なくとも一部を覆うように張り出して設けられていることが好ましい。
【００１０】
また、本発明の自然環境を考慮した建物は、前記スキップ床の上方が、屋根裏部屋となっていることが好ましい。
【００１１】
さらに、本発明の自然環境を考慮した建物は、屋根の北側部分に、屋根部通風開口が開閉可能に設けられており、前記中庭から前記北側居住部を介して前記屋根部通風開口を通過する通風路が開閉可能に形成されるようになっていることが好ましい。
【００１３】
また、本発明の自然環境を考慮した建物は、前記中庭による前記通風路の流入口部分に、植栽が施されていることが好ましい。
【００１４】
そして、本発明の自然環境を考慮した建物によれば、東側居住部と西側居住部との間に、南側が開口面となった凹部として形成された中庭が設けらており、この中庭の北側部分の北側居住部が中庭に面した１．５層分の高さの吹抜け部を備えると共に、吹抜け部の上方にスキップ床が設けられており、且つ中庭から北側居住部を介して北側の外壁を通過する通風路が開閉可能に形成されるので、特に夏場の暑い時期において、東側居住部と西側居住部とによって両側を仕切られた中庭を介して、当該中庭を通風の導入路として両側に拡散させることなく、南側からの風を、北側居住部の吹抜け部に向かう通風路に効率良く取り込むことが可能になる。また、中庭に面した北側居住部の１．５層分の高さの吹抜け部には、大きな面積の通風開口や採光面を設けることができるので、中庭に取り込んだ南側からの風を、北側居住部に効率良く取り込むことが可能になると共に、冬場における角度の低い太陽からの日射を、北側居住部に効率良く取り込むことが可能になる。さらに、夏場における角度の高い太陽からの日射は、北側居住部が面している中庭の両側の部分が東側居住部及び西側居住部によって遮られていることと相俟って、北側居住部を覆う屋根の軒や庇によって、効果的に遮断することが可能になる。さらにまた、吹抜け部の上方のスキップ床の上方部分は、収納庫や居住部として効率良く利用することが可能になる。
【００１５】
すなわち、本発明によれば、これらによって、北側居住部を、冷暖房設備を特に使用しなくても、通風や太陽光を利用して、夏に涼しさが感じられると共に冬に温かさが感じられる自然環境を考慮した快適な居住空間として、建物に設けることが可能になる。
【００１６】
また、本発明の自然環境を考慮した建物は、スキップ床を、中庭の少なくとも一部を覆うように張り出して設けておけば、この張り出した部分によって、夏場における角度の高い太陽からの日射をさらに効果的に遮断することが可能になると共に、スキップ床の上方部分に、収納庫や居住部として利用可能な広い床面積の空間を形成することが可能になる。
【００１７】
さらに、スキップ床の上方を屋根裏部分に食い込ませて屋根裏部屋とすれば、スキップ床の上方部分を居住者が立つことのできる空間として、より有効に活用することが可能になる。
【００１８】
さらにまた、屋根の北側部分に、屋根部通風開口を開閉可能に設けておき、中庭から北側居住部を介して屋根部通風開口を通過する通風路が開閉可能に形成されるようにすれば、温かい空気は屋内の天井付近にたまりやすいことから、このような温かい空気と共に、北側部分の高い位置に配置された屋根部通風開口を介して通風を屋内から流出させることにより、夏場における屋内からの廃熱機能を効果的に発揮させることが可能になる。
【００１９】
また、中庭による通風路の流入口部分に、供給された水を通風方向と対向する鉛直面に沿って下方に流下させるように誘導して、散水カーテンを形成する散水カーテン形成装置を設けたことによって、中庭に取り込んだ南側からの風を、散水カーテンを通過させ、水の蒸散作用を利用して冷却した後に、北側居住部に送り込むことが可能になり、北側居住部を、夏場においてより効果的に涼を感じられる居住空間とすることが可能になる。
【００２０】
さらに、中庭による通風路の流入口部分に、植栽を施しておけば、中庭に取り込んだ南側からの風を、植栽を通過させ、木の葉の蒸散作用を利用して冷却した後に、北側居住部に送り込むことが可能になり、北側居住部を、夏場においてより効果的に涼を感じられる居住空間とすることが可能になる。なお、植栽として例えば落葉樹を植設しておけば、冬場における角度の低い太陽からの日射を遮らないようにすることが可能になる。
【発明の効果】
【００２１】
本発明の自然環境を考慮した建物によれば、建物の内部に通風を積極的を取り込んで、例えば夏場の暑い時期に、自然の通風による涼を効果的に得ることが可能になる。
【発明を実施するための最良の形態】
【００２２】
本発明の好ましい一実施形態に係る自然環境を考慮した建物１０は、図１〜図４に示すように、例えば２階建ての木造の住宅建築物であって、東側居住部１１と、西側居住部１２と、北側居住部１３とからなり、東側居住部１１と西側居住部１２との間には、南側が開口面となった中庭１４が設けられている。また本実施形態の建物１０は、自然環境を考慮して、北側居住部１３では、冷暖房設備を特に使用しなくても、夏に涼しさを、冬に温かさを感じられるようにすると共に、例えば夏場の暑い時期に、建物の内部に南側からの風を積極的に取り込んで、自然の通風による涼を効果的に得ることができるように構成されている。
【００２３】
すなわち、本実施形態の自然環境を考慮した建物１０は、東側居住部１１と西側居住部１２との間に、南側が開口面となった凹部として形成された中庭１４が設けらており、この中庭１４の北側部分の北側居住部１３が中庭１４に面した１．５層分の高さの吹抜け部１５を備えると共に、この吹抜け部１５の上方にスキップ床１６が設けられており、且つ中庭１４から北側居住部１３を介して北側の外壁１７を通過する通風路Ｗ1が開閉可能に形成されるようになっている。
【００２４】
また、本実施形態では、スキップ床１６が中庭１４の一部を覆うように張り出して設けられており、スキップ床１６の上方が、屋根裏部分に食い込ませた屋根裏部屋１８となっている。
【００２５】
さらに、屋根１９の北側部分に、屋根部通風開口２０が開閉可能に設けられており、中庭１４から北側居住部１３を介して屋根部通風開口２０を通過する通風路Ｗ2が開閉可能に形成されるようになっている。
【００２６】
さらにまた、中庭１４による通風路Ｗ1，Ｗ2の流入口部分に、供給した水を通風方向と対向する鉛直面に沿って下方に流下させるように誘導して、散水カーテンを形成する散水カーテン形成装置２１が設けられていると共に、植栽２２が施されている。
【００２７】
本実施形態の建物１０の１階部分には、図２に示すように、西側居住部１２の南側部分に位置して、玄関ポーチ２３から出入り可能な玄関２４が設けられており、玄関２４の西側には土間２５が設けられている。玄関２４の北側には、１階ホール２６が設けられており、１階ホール２６の北側には２階への階段２７が設けられている。１階ホール２６の西側には、土間２５の北側に位置して、和室２８が設けられており、和室２８の北側には、西側居住部１２の北西の角部に位置して、洗面室２９やトイレ３０が設けられている。
【００２８】
本実施形態では、西側居住部１２のホール２６及び階段２７の東側に隣接して、東側居住部１１との間には、北側居住部１３の１階部分を構成する涼温室３１が設けられている。この涼温室３１は、その南側の部分が、中庭１４に面した１．５層分の天井高さの吹抜け部１５となっており、その北側の部分が、北側の外壁１７によって外部から仕切られた１層分の天井高さの補助室部３２となっている。
【００２９】
涼温室３１を挟んで西側居住部１２とは反対側に位置する東側居住部１１の１階部分には、その南側にリビングダイニングキッチン３３が、涼温室３１及び中庭１４の東側に隣接して設けられており、リビングダイニングキッチン３２の北側には、洗面室、浴室、トイレ等を含む水廻り室３４が、涼温室３１の東側に隣接して設けられている。
【００３０】
西側居住部１２に設けられた階段２７を介して１階部分から昇降する建物１０の２階部分には、図３に示すように、西側居住部１２の階段２７の南側部分に２階ホール３５が設けられており、階段２７及び２階ホール３５の西側に隣接して、第１洋室３６が設けられている。また、２階ホール３５の南側の端部と連設して、小屋裏収納３７が、１階部分の土間２５の上方に配置されて設けられている。さらに、１階部分の玄関ポーチ２３の上方の部分は、２階ホール３５の南側の端部から出入り可能な第１バルコニー部３８となっている。さらにまた、本実施形態では、玄関ポーチ２３及びバルコニー部３８の東側の面を中庭１４から仕切るようにして、仕切り壁３９が、玄関２４及び２階ホール３５の東側の面に沿うように連続して、第１バルコニー部３８よりも０．５層分高くなる高さで設けられている。
【００３１】
本実施形態では、西側居住部１２の２階ホール３５及び階段２７の東側に隣接して、東側居住部１１との間には、北側居住部１３の北側の部分に、作業室４０が、１階部分の補助室部３２の上方に配置されて設けられている。また作業室４０の南側の部分は、涼温室３１の吹抜け部１５の吹き抜け空間となっていると共に、吹抜け部１５の上方を覆って、スキップ床１６が設けられることになる（図４参照）。
【００３２】
作業室４０を挟んで西側居住部１２とは反対側に位置する東側居住部１１の２階部分には、その北側に第２洋室４１が設けられており、第２洋室４１の南側には、当該第２洋室４１から出入り可能な、ウォークインクロゼット４２及び屋根裏部屋１８への階段４６を備える第３洋室４３が設けられている。また、第３洋室４３の南側には、当該第３洋室４３から出入り可能な第２バルコニー部４４が設けられており、この第２バルコニー部４４の外周部分は、０．５層分の高さの手摺壁４５によって囲まれている。
【００３３】
さらに、本実施形態では、第２バルコニー部４４の南側の面から西側居住部１２の仕切り壁３９に渡って、第１バルコニー部３８及び第２バルコニー部４４の床部と略同じ高さ位置に、中庭１４の入り口部分を梁状に横断する給水パラペット４７が設けられている。この給水パラペット４７は、内部に散水カーテン形成装置２１を構成する給水散水部材７０を備えている。また給水パラペット４７の内部に設けられた給水散水部材７０は、例えば建物１０に配管された水道管等と接続しており、開閉バルブを操作して、後述する散水ルーバー５０の上方に例えば水道水を供給し、複数の散水孔４８から適宜散水を行うことができるようになっている（図１、図５参照）。
【００３４】
本実施形態では、第３洋室４３に設けられた階段４６を介して東側居住部１１の２階部分から昇降する北側居住部１３の屋根裏部屋１８は、図４及び図１に示すように、１階部分の涼温室３１の吹抜け部１５を覆うスキップ床１６を、中庭１４の北側端部に張り出して設けられている。また、屋根裏部屋１８は、その上部を屋根裏部分にドーム形状に食い込ませることにより、略１層分の高さを確保して、居住者が立ったまま動ける空間を形成している。
【００３５】
屋根裏部屋１８の作業室４０の上方に位置する北側の部分は、スキップ床１６よりも０．５層分高くなった段部４９となっている。この段部４９の床面は、作業室４０の天井面と共に、格子部材５１によって形成されており、これらの格子部材５１の間隔部分を介して、作業室４０から屋根裏部屋１８に向う通風が得られるようになっている。また、段部４９の直上部分に位置する屋根１９の北側部分には、屋根部通風開口２０が、開閉建具によって開閉可能な状態で３箇所に並べて設けられている。さらに、３箇所の屋根部通風開口２０のうち、一番西側に位置する１箇所の屋根部通風開口２０は、屋根１９から上方に立設して設けられた、上端部分に採光換気装置５３が設置された採光換気塔５４に周囲を覆われて、これの下端部に配置されている。
【００３６】
そして、本実施形態の自然環境を考慮した建物１０では、東側居住部１１と西側居住部１２とによって挟まれる中庭１４や北側居住部１３に、上述の構成に加えて、例えば下記のような種々の構造を備えることにより、風や太陽による自然環境を効果的に利用して、北側居住部１３を、冷暖房設備を特に使用しなくても、夏に涼しさが感じられると共に冬に温かさが感じられる快適な居住空間とすることができるようになっている。
【００３７】
すなわち、本実施形態では、図１に示すように、中庭１４に面した北側居住部１３の１．５層分の高さの吹抜け部１５には、中庭１４に面した略全域に亘って、大きな面積の通風開口や採光面となる、サッシ枠による開閉可能なガラス戸５５やガラス窓５６が設けられている。また、涼温室３１の補助室部３２の北側の外壁１７には、サッシ枠による開閉可能なガラス窓５７が設けられている。これらによって、中庭１４から北側居住部１３を介して北側の外壁１７を通過する通風路Ｗ1が、開閉可能に形成されることになる。
【００３８】
また、本実施形態では、涼温室３１の吹抜け部１５と作業室４０の下半部分とを仕切る腰壁５８の上端部と、吹抜け部１５の上方のスキップ床１６との間には、細幅開口５９が保持されていると共に、作業室４０の北側の外壁１７には、サッシ枠による開閉可能なガラス窓６０が設けられている。これらによって、中庭１４から北側居住部１３の吹抜け部１５及び作業室４０を介して北側の外壁１７を通過する、通風路Ｗ1が開閉可能に形成されることになる。また、中庭１４から北側居住部１３の吹抜け部１５及び作業室４０を通過した後に、作業室４０の天井部分の格子部材５１を介して屋根裏部屋１８の段部４９に至り、さらに屋根部通風開口２０を通過する通風路Ｗ2が、開閉可能に形成されることになる。
【００３９】
さらに、本実施形態では、屋根裏部屋１８の中庭１４に面する南側の壁面には、屋根１９の軒下部分に配置されて、サッシ枠による開閉可能なガラス窓６１が設けられている。これによって、中庭１４の上部から屋根裏部屋１８を介して段部４９に至り、さらに屋根部通風開口２０を通過する通風路Ｗ3が、開閉可能に形成されることになる。
【００４０】
そして、本実施形態では、中庭１４による通風路Ｗ1，Ｗ2の流入口部分に、供給した水を通風方向と対向する鉛直面に沿って下方に流下させるように誘導して、散水カーテンを形成する散水カーテン形成装置２１が設けられている。散水カーテン形成装置２１は、上述のように、中庭１４の入り口部分を梁状に横断する給水パラペット４７の内部に設けられた給水散水部材７０と、散水ルーバー５０とからなる。散水カーテン形成装置２１は、例えば屋内に設けられたコントローラによる開閉バルブの開閉操作によって、必要に応じて水道管等から給水散水部材７０に水を供給し、複数の散水孔４８から、給水散水設備の下方に配置された散水ルーバー５０の上端部に水を散水する。また散水した水を、散水ルーバー５０に沿って鉛直方向下方に糸水状に流下させ、上下方向に間隔をおいて配置した複数の単位ルーバー６３の間隔部分に常時水の流れを生じさせることにより、散水ルーバー５０に沿った散水カーテンを形成できるようになっている。
【００４１】
ここで、散水ルーバー５０は、例えば図５（ａ）〜（ｃ）に示すように、中庭１４の底盤部から鉛直方向に立設固定して設けられたＨ形鋼による３本の支柱６２の各２本に両端を各々支持固定させて、複数の棒状の単位ルーバー６３を、上下方向に例えば７７ｍｍ程度の間隔をおいて、１５３ｍｍ程度の中心間ピッチで水平方向に平行に配置して取り付けることにより、全体として例えば幅が３９００ｍｍ、高さが２４００ｍｍ程度の大きさの矩形の正面形状を有するように形成されている。
【００４２】
また、本実施形態では、散水ルーバー５０を構成する各単位ルーバー６３は、例えばセラミック、金属、合成樹脂等からなると共に、縦横５５ｍｍ程度の大きさの正方形の中空断面形状を備えており、一方の対角方向を鉛直方向に沿わせると共に、他方の対角方向を水平方向に沿わせた状態で、両側の支柱６２に両端を支持させて取り付けられている。各単位ルーバー６３を、正方形の断面形状に形成すると共に、一方の対角方向を鉛直方向に、他方の対角方向を水平方向に沿わせて取り付けることにより、通風方向と対向する鉛直面に沿った散水カーテンを、より安定した状態で形成することが可能になる。
【００４３】
さらに、本実施形態では、散水ルーバー５０の背面側に配置されて、中庭１４による通風路Ｗ1，Ｗ2の流入口部分に、植栽２２が施されている。本実施形態では、植栽２２は、好ましくはハナミズキ、ケヤキ等の落葉樹からなり、中庭１４の底盤部に設けた植込み部６４に根付かせた状態で、散水ルーバー５０の背面側に植設されている。
【００４４】
さらにまた、本実施形態では、中庭１４の底盤部における散水ルーバー５０及び植込み部６４の周囲の部分に、水溜め部６５が設けられている。この水溜め部６５には、散水ルーバー５０に沿って流下してきた散水カーテンの水が貯留されるようになっている。また、中庭１４の底盤部に水溜め部６５が設けられていることにより、中庭１４に涼しげな雰囲気をもたらすことが可能になると共に、水溜め部６５の水面付近を通過する風を、水の蒸散作用を利用して、涼しい風として北側居住部１３に送り込むことが可能になる。水溜め部６５に貯留された水は、ポンプ装置等を介して汲み上げることにより、散水カーテン形成装置２１の給水散水部材７０に供給される水として循環使用することも可能である。
【００４５】
なお、本実施形態によれば、涼温室３１の補助室部３２の北側には、外壁１７の外側に縁側６６が設けらており、この縁側６６の腰壁６７の内側面には、壁面緑化用植栽断熱発泡タイルとして、例えばスナゴケ植栽タイル６８が取り付けられている。縁側６６の腰壁６７の内側面にスナゴケ植栽タイル６８が取り付けられていることにより、涼温室３１の補助室部３２の北側の外壁１７に設けられたガラス窓５７を介して北側居住部１３に送り込まれる北側からの風を、スナゴケ植栽タイル６８の表面を通過させることによって冷やした後に、北側居住部１３に流入させることが可能になる。
【００４６】
また、本実施形態によれば、好ましくは、涼温室３１の吹抜け部１５と作業室４０の下半部分とを仕切る腰壁５８の上端部や、作業室４０の格子部材５１による天井面と隣接する部分、或いは屋根裏部屋１８の段部４９の格子部材５１による床面と隣接する部分には、各々間接照明ボックス６９が設けられている。これらの間接照明ボックス６９には、間接照明用の照明器具が各々配設されることになる。
【００４７】
そして、上述の構成を備える本実施形態の自然環境を考慮した建物１０によれば、建物１０の内部に通風を積極的を取り込んで、例えば夏場の暑い時期に、自然の通風による涼を効果的に得ることが可能になる。
【００４８】
すなわち、本実施形態の自然環境を考慮した建物１０によれば、東側居住部１１と西側居住部１２との間に、南側が開口面となった凹部として形成された中庭１４が設けらており、この中庭１４の北側部分の北側居住部１３が中庭１４に面した１．５層分の高さの吹抜け部１５を備えると共に、この吹抜け部１５の上方にスキップ床１６が設けられており、且つ中庭１４から北側居住部１３を介して北側の外壁１７を通過する通風路Ｗ1が開閉可能に形成されるので、特に夏場の暑い時期において、東側居住部１１と西側居住部１２とによって両側を仕切られた中庭１４を介して、当該中庭１４を通風の導入路として両側に拡散させることなく、南側からの風を、北側居住部１３の吹抜け部１５に向かう通風路Ｗ1に効率良く取り込むことが可能になる。また、中庭１４に面した北側居住部１３の１．５層分の高さの吹抜け部１５には、大きな面積の通風開口や採光面としてのガラス戸５５やガラス窓５６を設けることができるので、中庭１４に取り込んだ南側からの風を、北側居住部１３に効率良く取り込むことが可能になると共に、冬場における角度の低い太陽からの日射を、北側居住部１３に効率良く取り込むことが可能になる。さらに、夏場における角度の高い太陽からの日射は、北側居住部１３が面している中庭１４の両側の部分が東側居住部１１及び西側居住部１２によって遮られていることと相俟って、北側居住部１３を覆う屋根１９の軒部分によって、効果的に遮断することが可能になる。さらにまた、吹抜け部１５の上方のスキップ床１６の上方部分は、収納庫や居住部として効率良く利用することが可能になる。
【００４９】
これらによって、北側居住部１３を、冷暖房設備を特に使用しなくても、通風や太陽光を利用して、夏に涼しさが感じられると共に冬に温かさが感じられる自然環境を考慮した快適な居住空間として設けることが可能になる。
【００５０】
また、本発明の自然環境を考慮した建物１０によれば、スキップ床１６が、中庭１４の一部を覆うように張り出して設けられているので、この張り出した部分によって、夏場における角度の高い太陽からの日射をさらに効果的に遮断することが可能になると共に、スキップ床１６の上方部分に、収納庫や居住部として利用可能な広い床面積の空間を形成することが可能になる。
【００５１】
さらに、スキップ床１６の上方を屋根裏部分に食い込ませて屋根裏部屋１８としているので、スキップ床１６の上方部分を居住者が立つことのできる空間として、より有効に活用することが可能になる。
【００５２】
さらにまた、屋根１９の北側部分に、屋根部通風開口２０が開閉可能に設けられており、中庭１４から北側居住部１３を介して屋根部通風開口２０に致る通風路Ｗ2が開閉可能に形成されるので、温かい空気は屋内の天井付近にたまりやすいことから、このような温かい空気と共に、北側部分の高い位置に配置された屋根部通風開口２０を介して通風を屋内から流出させることにより、夏場における屋内からの廃熱機能を効果的に発揮させることが可能になる。
【００５３】
また、中庭１４による通風路Ｗ1，Ｗ2の流入口部分に、供給された水を通風方向と対向する鉛直面に沿って下方に流下させるように誘導して、散水カーテンを形成する散水カーテン形成装置２１が設けられているので、中庭１４に取り込んだ南側からの風を、散水カーテンを通過させ、水の蒸散作用を利用して冷却した後に、北側居住部１３に送り込むことが可能になり、北側居住部１３を、夏場においてより効果的に涼を感じられる居住空間とすることが可能になる。
【００５４】
さらに、中庭１４による通風路Ｗ1，Ｗ2の流入口部分に、植栽２２が施されているので、中庭１４に取り込んだ南側からの風を、植栽２２を通過させ、木の葉の蒸散作用を利用して冷却した後に、北側居住部１３に送り込むことが可能になり、北側居住部１３を、夏場においてより効果的に涼を感じられる居住空間とすることが可能になる。また、植栽２２として落葉樹が植設されているので、冬場における角度の低い太陽からの日射を遮らないようにすることが可能になる。
【００５５】
なお、本発明は上記実施形態に限定されることなく種々の変更が可能である。例えば、スキップ床は、中庭の一部を覆うように張り出して設ける必要は必ずしも無い。また、スキップ床の上方を、屋根裏部分に食い込ませて屋根裏部屋とする必要は必ずしも無く、例えば０．５層分の高さの収納庫等とすることもできる。さらに、本発明は、木造の住宅建築物に限定されることなく、その他の種々の建物に適用することもできる。また２階建ての建物に限定されることなく、中庭が設けられる１階部分の底盤部を、２階部分又３階部分以上の底盤部に置き換えて、例えば３階建て以上の建物に適用することもできる。
【図面の簡単な説明】
【００５６】
【図１】本発明の好ましい一実施形態に係る自然環境を考慮した建物の要部を説明する、図２のＡ−Ａに沿った断面図である。
【図２】本発明の好ましい一実施形態に係る自然環境を考慮した建物の構成を説明する、１階部分の間取り図である。
【図３】本発明の好ましい一実施形態に係る自然環境を考慮した建物の構成を説明する、２階部分の間取り図である。
【図４】本発明の好ましい一実施形態に係る自然環境を考慮した建物の構成を説明する、屋根裏部分の間取り図である。
【図５】（ａ）は好ましい一実施形態に係る散水カーテン形成装置の正面図、（ｂ）は（ａ）のＢ−Ｂに沿った部分破断断面図、（ｃ）は（ａ）のＣ−Ｃに沿った部分破断断面図である。
【符号の説明】
【００５７】
１０  自然環境を考慮した建物
１１  東側居住部
１２  西側居住部
１３  北側居住部
１４  中庭
１５  吹抜け部
１６  スキップ床
１７  北側居住部の北側の外壁
１８  屋根裏部屋
１９  屋根
２０  屋根部通風開口
２１  散水カーテン形成装置
２２  植栽
３１  涼温室
３２  補助室部
４０  作業室
４７  給水パラペット
４８  散水孔
５０  散水ルーバー
５１  格子部材
５４  採光換気塔
５５  ガラス戸
５６，５７，６０，６１  ガラス窓
５９  細幅開口
６２  支柱
６３  単位ルーバー
６４  植込み部
６５  水溜め部
Ｗ1，Ｗ2，Ｗ3  通風路
【図１】
0005248101.tif 000002
【図２】
0005248101.tif 000003
【図３】
0005248101.tif 000004
【図４】
0005248101.tif 000005
【図５】
0005248101.tif 000006